(57)【特許請求の範囲】
【請求項１】
フィルム製ガセット袋において、
互いに積層された一対の胴材と、
一対の胴材の各側方に配置され、内側に向かってＶ字状に折曲げられた側材と、
一方の胴材上部に連結され平面矩形状の天板部を形成する天板材とを備え、
天板材の周縁は、他方の胴材の周縁および一対の側材上部周縁にヒートシールされ、
天板材の天板部に対応する部分は、内側に向かってＶ字状に折曲げられ、
一対の胴材の下端周縁は、互いにヒートシールされるとともに、内側に折曲げられた一対の側材の周縁にヒートシールされ、ヒートシールされた一対の胴材の底部が一方の胴材又は他方の胴材側へ折曲げられて自立型平坦部を形成し、
フィルム製ガセット袋の材料のヒートシール層はイージーピールフィルムを有し、ヒートシールされた天板材を他方の胴材および一対の側材から剥がし取ることにより開封し、他方の胴材および天板材は、各々、上方側方に設けられた切り欠きによって、先端側に向かって先細状に形成され、切り欠きは、他方の胴材と天板材との間のヒートシール部分に交わることを特徴とするフィルム製ガセット袋。
【請求項２】
一対の側材の上方部は、各々外側へ折返されて形成された二等辺三角形状の折返片を有することを特徴とする請求項１記載のフィルム製ガセット袋。
【請求項３】
天板材の周縁は、一対の側材上部に設けられた折返片の周縁にヒートシールされていることを特徴とする請求項２記載のフィルム製ガセット袋。
【発明の詳細な説明】
【技術分野】
【０００１】
本発明はフィルム製ガセット袋に係り、とりわけ底部に自立型平坦部を有するとともに、天板部が平面矩形状を有し、天板部を大きく開封することができるフィルム製ガセット袋に関する。
【背景技術】
【０００２】
従来より、底部に自立型平坦部を有するフィルム製ガセット袋が知られている。例えばこのようなフィルム製ガセット袋内には、液状、粒状体などの流動性を有する内容物が収納されている。
【０００３】
他方、スナック、おつまみ等の内容物が直接詰められており、自立性を有し、且つ、開口部が広く開くことにより、内容物を取り出し易いフィルム製ガセット袋が求められている。
【先行技術文献】
【特許文献】
【０００４】
【特許文献１】特開２０００−１５３８４９
【特許文献２】特開２００８−２３０６５８
【発明の概要】
【発明が解決しようとする課題】
【０００５】
本発明はこのような点を考慮してなされたものであり、自立性を有し、且つ、開口部が広く開くことにより、内容物を容易に取出すことができるフィルム製ガセット袋を提供することを目的とする。
【課題を解決するための手段】
【０００６】
本発明は、フィルム製ガセット袋において、互いに積層された一対の胴材と、一対の胴材の各側方に配置され、内側に向かってＶ字状に折曲げられた側材と、一方の胴材上部に連結され平面矩形状の天板部を形成する天板材とを備え、天板材の周縁は、他方の胴材の周縁および一対の側材上部周縁にヒートシールされ、天板材の天板部に対応する部分は、内側に向かってＶ字状に折曲げられ、一対の胴材の下端周縁は、互いにヒートシールされるとともに、内側に折曲げられた一対の側材の周縁にヒートシールされ、ヒートシールされた一対の胴材の底部が一方の胴材又は他方の胴材側へ折曲げられて自立型平坦部を形成し、フィルム製ガセット袋の材料のヒートシール層はイージーピールフィルムを有し、ヒートシールされた天板材を他方の胴材および一対の側材から剥がし取ることにより開封し、他方の胴材および天板材は、各々、上方側方に設けられた切り欠きによって、先端側に向かって先細状に形成され、切り欠きは、他方の胴材と天板材との間のヒートシール部分に交わることを特徴とするフィルム製ガセット袋である。
【０００７】
本発明は、一対の側材の上方部は、各々外側へ折返されて形成された二等辺三角形状の折返片を有することを特徴とするフィルム製ガセット袋である。
【０００８】
本発明は、天板材の周縁は、一対の側材上部に設けられた折返片の周縁にヒートシールされていることを特徴とするフィルム製ガセット袋である。
【発明の効果】
【００１２】
本発明によれば、フィルム製ガセット袋の開封時には、大きく開口してこの大きな開口から容易に内容物を取出すことができる。
【図面の簡単な説明】
【００１３】
【図１】図１はフィルム製ガセット袋の一実施の形態を示す斜視図。
【図２】図２はフィルム製ガセット袋を示す表面図。
【図３】図３は下端周縁がヒートシールされていない状態のフィルム製ガセット袋を示す平面図。
【図４】フィルム製ガセット袋の製造方法を示す図。
【図５】フィルム製ガセット袋の製造方法を示す図。
【図６】フィルム製ガセット袋の製造方法を示す図。
【図７】フィルム製ガセット袋の変形例を示す図。
【図８】フィルム製ガセット袋の変形例を示す斜視図。
【発明を実施するための形態】
【００１４】
以下、図面を参照して本発明の実施の形態について説明する。
【００１５】
図１乃至図６は本発明によるフィルム製ガセット袋の一実施の形態を示す図である。このうち、図１はフィルム製ガセット袋を示す斜視図、図２はフィルム製ガセット袋を示す表面図、図３は下端周縁がヒートシールされない状態のフィルム製ガセット袋を示す平面図、図４乃至図６はフィルム製ガセット袋の製造方法を示す図である。
【００１６】
図１乃至図３に示すように、フィルム製ガセット袋１０は、お菓子、おつまみ等、予め保形性をもつ紙製箱（紙製容器ともいう）（図示せず）に収納されている内容物を直接収納、あるいは個包装されたお菓子、粉状体等を収納するものであり、自立型平坦部１５と、平面矩形状の天板部１３ａとを有している。このようなフィルム製ガセット袋１０は後述する積層フィルムを互いに重ね合わせ、周縁をヒートシールすることによって得られる。
【００１７】
すなわちフィルム製ガセット袋１０は、互いに積層された一方の胴材１１と他方の胴材１２と、一対の胴材１１，１２の側方に配置され内側に向かってＶ字状に折曲げられた内側端１４ｂを有する一対の側材１４，１４と、一方の胴材１１の上部１１ａに連結され平面矩形状の天板部１３ａを形成する天板材１３とを備えている。
【００１８】
このうち一方の胴材１１の上部１１ａに連結された天板材１３の周縁は、他方の胴材１２の周縁および一対の側材１４，１４の上部周縁にヒートシールされている。また天板材１３のうち天板部１３ａを形成する部分は、Ｖ字状に内側に折曲げられた内側端１３ｂを有している。
【００１９】
この場合、一対の側材１４，１４の上部は外側へ折返されて二等辺三角形状の折返片１４ａを形成し、天板材１３の天板部１３ａを形成する部分の周縁が、各側材１４，１４上部の折返片１４ａ周縁にヒートシールされている。
【００２０】
さらに、一方の胴材１１と他方の胴材１２の下端周縁１１ｂ，１２ｂは、互いにヒートシールされ、かつこの一方の胴材１１と他方の胴材１２の下端周縁１１ｂ，１２ｂは、一対の側材１４，１４の下端周縁にもヒートシールされている。
【００２１】
そしてこのようにヒートシールされた一方の胴材１１と他方の胴材１２の底部１５が一方の胴材１１または他方の胴材１２のいずれか一方側、例えば他方の胴材１２側へ折り曲げられて平面矩形状の自立型平坦部を形成している。この平面矩形状の自立型平坦部によって、フィルム製ガセット袋１０を自立させることができる。
【００２２】
また互いにヒートシールされた天板材１３と他方の胴材１２のヒートシール部分１８に、ガセット袋１０を一側から他側に向かって水平方向に切断線１６ａに沿って切断する切込１６が設けられている。
【００２３】
この場合、天板材１３と、一方の胴材１１と、他方の胴材１２はいずれも長方形状をなし、同一長の幅を有している。また天板材１３と他方の胴材１２とに形成された切断線１６ａの長さは、天板材１３の幅（最大幅となる）および他方の胴材１２の幅（最大幅となる）と同一長さを有している。さらに、一方の胴材１１の長さ（高さ）は、他方の胴材１２の長さ（高さ）より短くなっている。
【００２４】
フィルム製ガセット袋の材料のヒートシール層は、イージーピールフィルムを有していてもよい。この場合、天板材１３を他方の胴材１２および一対の側材１４から剥がし取ることにより開封することが出来る。
【００２５】
また、図８に示すように天板材１３に他方の胴材１２とのヒートシール部分１８の上端部から天板部１３ａに向かって垂直方向に延び、かつ天板部１３ａ上を水平方向に延びる２本のミシン目２０を設け、このミシン目２０に沿って天板材１３を切断することにより開封してもよい。
【００２６】
次にフィルム製ガセット袋１０の材料について説明する。
【００２７】
ヒートシール層に完全シールするフィルムを使用し、天板材に施されたミシン目２０を切断することで開封するフィルム製ガセット袋１０の材料としては、下記のような積層フィルム（１）〜（１８）を用いることができる。
（１）ＰＥＴ／ＬＬＤＰＥ、
（２）ＰＥＴ／ＡＬ／ＬＬＤＰＥ、
（３）ＰＥＴ／ＡＬ／ＯＮＹ／ＬＬＤＰＥ、
（４）ＰＥＴ／ＯＮＹ／ＡＬ／ＬＬＤＰＥ、
（５）ＰＥＴ／ＣＰＰ、
（６）ＰＥＴ／ＡＬ／ＯＮＹ／ＣＰＰ、
（７）ＰＥＴ／ＯＮＹ／ＡＬ／ＣＰＰ、
（８）透明蒸着ＰＥＴ／（ＯＮＹ）／ＬＬＤＰＥ、
（９）透明蒸着ＰＥＴ／（ＯＮＹ）／ＣＰＰ、
（１０）ＰＥＴ／ＶＭＰＥＴ（透明蒸着ＰＥＴ）／ＬＬＤＰＥ、
（１１）ＰＥＴ／ＶＭＰＥＴ（透明蒸着ＰＥＴ）／ＣＰＰ、
（１２）ＯＰＰ／ＶＭＰＥＴ（透明蒸着ＰＥＴ）／ＬＬＤＰＥ、
（１３）ＯＰＰ／ＶＭＰＥＴ（透明蒸着ＰＥＴ）／ＣＰＰ、
（１４）ＯＮＹ／（ＶＭＰＥＴ、透明蒸着ＰＥＴ）／ＬＬＤＰＥ、
（１５）ＰＥＴ／ＰＥ／ＡＬ（ＶＭＰＥＴ、透明蒸着ＰＥＴ）／ＰＥ／ＬＬＤＰＥ、
（１６）ＰＥＴ／ＰＥ／ＡＬ（ＶＭＰＥＴ、透明蒸着ＰＥＴ）／ＰＥ／ＣＰＰ、
（１７）ＯＰＰ／ＰＥ／ＡＬ（ＶＭＰＥＴ、透明蒸着ＰＥＴ）／ＰＥ／ＬＬＤＰＥ、
（１８）ＯＰＰ／ＰＥ／ＡＬ（ＶＭＰＥＴ、透明蒸着ＰＥＴ）／ＰＥ／ＣＰＰ
【００２８】
なお、上記積層フィルム（１）〜（１８）に関し、ＬＬＤＰＥ層およびＣＰＰ層が、ヒートシール層となっている。
【００２９】
また、胴材１２および側材１４からヒートシールされた天板材１３を剥がし取ることにより開封する場合は、（１）〜（１８）のヒートシール層として、イージーピールフィルムを使用する。
【００３０】
次にフィルム製ガセット袋１０の製造方法について図４乃至図６により説明する。
【００３１】
まず図４に示すように、積層フィルムからなる他方の胴材１２を準備し、この他方の胴材１２の各側方に、内側に向かってＶ字状に折曲げられた積層フィルムからなる一対の側材１４，１４を配置する。
【００３２】
このとき、他方の胴材１２および各側材１４，１４の向き合う面は、ヒートシール面となっており、各側材１４，１４の側方周縁が対応する他方の胴材１２の側方周縁にヒートシールされる。
【００３３】
次に図５に示すように、内側に向かってＶ字状に折曲げられた天板材１３（ミシン目に沿って開封する場合は、天板材１３の内側に２本のミシン目２０が入っている）が一対の側材１４，１４の上部間に挿入される。このとき折曲げられた天板材１３の外側面はヒートシール面となっている。
【００３４】
その後図６に示すように、他の胴材１２、一対の側材１４，１４および天板材１３上に一方の胴材１１が重ね合わされる。その後天板材１３の周縁が一方の胴材１１の上部周縁にヒートシールされるとともに、天板材１３の周縁が一対の側材１４，１４上部周縁にヒートシールされ、かつ天板材１３の周縁が他方の胴材１２の周縁にヒートシールされる。
【００３５】
この場合、一対の側材１４，１４の上方部には、予め外側に折り返されて二等辺三角形状の折返片１４ａが形成されている。
【００３６】
このようにして、一方の胴材１１と他方の胴材１２の下端が開口されたフィルム製ガセット袋１０が得られる。
【００３７】
フィルム製ガセット袋１０内には、一方の胴材１１と他方の胴材１２の下端開口からお菓子、おつまみ等、あるいは個包装されたお菓子、粉状体等の内容物が充填され、一方の胴部１１と他方の胴部１２の下端周縁１１ｂ，１２ｂがヒートシールされ、かつ一方の胴部１１と他方の胴部１２の下端周縁１１ｂ，１２ｂが一対の側材１４，１４の周縁にヒートシールされる。
【００３８】
そしてヒートシールされた一方の胴材１１と他方の胴材１２の底部１５が他方の胴材１２側へ折曲げられて自立型平坦部を形成する。
【００３９】
また、フィルム製ガセット袋１０の開封時には、切込１６から切込線１６ａに沿って、天板材１３と他方の胴材１２とを切断する。この場合、切込線１６ａは天板材１３の最大幅および他方の胴材１２の最大幅と同一幅をもつので、切込線１６ａに沿って切断し、天面材１３を剥がし取る（あるいは、天面材１３に施されたミシン目２０に沿って開封する）ことでフィルム製ガセット袋１０の上部に大きな開口を形成することができ、このようにして形成された大きな開口から、内容物を取出すことができる。この場合、フィルム製ガセット袋１０の積層フィルムは、切込線１６ａに沿って容易に切断することができる構造をもっていることが好ましい。
【００４０】
以上のように本実施の形態によれば、一方の胴部１１と他方の胴部１２の底部によって平面矩形状の自立型平坦部を形成することができ、かつ一方の胴材１１の上部１１ａに連結された天板材１３によって、平面矩形状の天板部１３ａを形成することができる。
【００４１】
さらに、フィルム製ガセット袋１０の開封時に天板材１３と他方の胴部１２を天板材１３と他方の胴部１２の最大幅と同一長の切断線１６ａに沿って切断し、天面材１３を剥がし取る（あるいは、天面材１３に施されたミシン目２０に沿って開封する）ことができるので、フィルム製ガセット袋１０の上部に大きな開口を形成することができ、この大きな開口から内容物を容易に取出すことができる。
【００４２】
次に図７により本発明の変形例について説明する。
【００４３】
図１乃至図６において、天板材１３および他方の胴材１２は、長方形状を有しているが、図７に示すように、天板材１３および他方の胴材１２の上部側方に切欠き１９を設け、天板材１３および他方の胴材１２の上部を上方に向かって先細状に形成してもよい。
【符号の説明】
【００４４】
１０  フィルム製ガセット袋
１１  一方の胴材
１１ａ  上部
１２  他方の胴材
１３  天板材
１３  天板部
１４  側材
１４ａ  折返片
１５  底部
１６  切込み
１６ａ  切込線
１９  切欠き
２０  ミシン目
【図１】
0005509784.tif 000002
【図２】
0005509784.tif 000003
【図３】
0005509784.tif 000004
【図４】
0005509784.tif 000005
【図５】
0005509784.tif 000006
【図６】
0005509784.tif 000007
【図７】
0005509784.tif 000008
【図８】
0005509784.tif 000009